(57)【要約】      （修正有）【課題】好適な歯科レーザ装置、ならびに交換可能ハンドピースおよび可変フットペダルとの使用方法を提供する。【解決手段】硬および／または軟組織の治療のための歯科レーザシステム３は、レーザビームおよび流体を治療面積に指向するための光学および一次流体供給サブシステムを格納する、主チャンバ１０を含む。主チャンバに添着可能なハンドピース５は、対合光学および二次流体供給サブシステムを含む。ハンドピースは、ハンドピース内の光学軸１３を中心として回転可能または再配向可能であることができる。係止部は、ハンドピースの選択可能角度配向を主チャンバに対して維持することができる。連結部１１は、ハンドピースが回転または再配向されるときでも、一次および二次流体供給サブシステム間の流体連通を維持することができる。【選択図】図３Ａ
2020103956.tif 000002
【特許請求の範囲】
【請求項１】
本明細書に記載の発明。
【発明の詳細な説明】
【技術分野】
【０００１】
（関連出願への相互参照）
本願は、２０１３年２月５日に出願された「Ｄｅｎｔａｌ  Ｌａｓｅｒ  Ａｐｐａｒａｔｕｓ  ａｎｄ  Ｍｅｔｈｏｄ  ｏｆ  Ｕｓｅ  ｗｉｔｈ  Ｉｎｔｅｒｃａｎｇｅａｂｌｅ  Ｈａｎｄ  Ｐｉｅｒｃｅ  ａｎｄ  Ｖａｒｉａｂｌｅ  Ｆｏｏｔ  Ｐｅｄａｌ，」と題する米国仮特許出願第６１／７６１，０２０号；２０１３年３月１５日に出願された「Ｄｅｎｔａｌ  Ｌａｓｅｒ  Ａｐｐａｒａｔｕｓ  ａｎｄ  Ｍｅｔｈｏｄ  ｏｆ  Ｕｓｅ  ｗｉｔｈ  Ｉｎｔｅｒｃａｎｇｅａｂｌｅ  Ｈａｎｄ  Ｐｉｅｒｃｅ  ａｎｄ  Ｖａｒｉａｂｌｅ  Ｓｗｉｔｃｈ，」と題する米国仮特許出願第６１／７９３，００６号；および２０１３年１１月２７日に出願された「Ｒｏｔａｔｉｏｎａｌｌｙ  Ｏｒｉｅｎｔａｂｌｅ  Ｄｅｎｔａｌ  Ｌａｓｅｒ  Ｈａｎｄ  Ｐｉｅｃｅ，」と題する米国仮特許出願第６１／９０９，９２９号に基づく優先権の利益を主張しており、これら出願の各々の開示はその全体が参考として本明細書中に援用される。
【０００２】
（発明の分野）
本発明は、レーザ治療システムに関し、より具体的には、着脱可能ハンドピースを利用する歯科レーザ治療システムに関する。
【背景技術】
【０００３】
歯科レーザシステムは、典型的には、レーザ光または冷却流体を口腔治療面積に指向するためのハンドピースを使用する。レーザは、虫歯の除去、硬組織の切除、穿孔、または成形、および軟組織の除去または切除を含む、いくつかの硬および軟組織歯科手技において有用であり得る。
【０００４】
歯は、３つの層を有する。最外層は、最も硬く、歯の残りのための保護層を形成する、エナメル質である。歯の中間であって、かつその大半は、象牙質から成り、最内層は、歯髄である。エナメル質および象牙質は、組成が類似し、約８５％の鉱物である炭酸化ヒドロキシアパタイトである一方、歯髄は、圧力および温度に敏感な脈管および神経を含有する。ヒドロキシアパタイトは、任意の他の波長範囲における放射より効率的に、９．３〜９．６μｍの波長範囲内のレーザ光を吸収する。レーザエネルギーの吸収は、歯の層のいずれかの温度を上昇させ得る。エナメル質および象牙質の切除、輪郭形成、または調整では、約５．５℃の温度上昇は、歯の歯髄の恒久的損傷につながり得るため、歯髄の温度感度を考慮することが有益である。
【０００５】
レーザは、局所麻酔剤を使用せずに、手技が従来のドリルを用いて行われるときに要求されるものと同様に、歯科物質の除去に有用であることが分かっている。さらに、レーザは、歯科ドリルと関連付けられた雑音および振動を生じさせない。これらの理由から、歯科業界において、レーザが、ドリルに取って代わり、少なくともある程度、歯科治療からの不安および恐怖を緩和させ得るという多くの期待がある。
【０００６】
歯科ドリルと異なり、歯科レーザは、末端切除デバイスであって、すなわち、物質は、概して、集束レーザビームの端部から除去される。対照的に、ドリルは、側方切除デバイスであって、すなわち、物質は、バー（ｂｕｒｒ）の側面によって粉砕される。レーザデバイスのドリル同様の側方切除の一般的不能性は、その使用を限定し得る。したがって、機敏なハンドピースが、歯科実践においてレーザ技術を利用するために、多くの歯科表面および場所をレーザ治療のためにアクセス可能にするのに有用となり得る。多くの場合、１つのみのハンドピース先端または完全に回転することができないハンドピースを用いて、異なる治療面積に到達する際、難点が生じる。治療の間、要求される冷却剤の量もまた、その温度の過度の上昇を回避するように、選択された標的面積に送達されなければならない。
【０００７】
治療におけるレーザの有効性は、いくつかの変数に依存し得る。例えば、レーザパルスの周波数およびパルス幅は、典型的には、レーザの平均パワーを決定する。治療面積への冷却剤の制御された流量は、髄室の過熱および／またはエナメル質の溶融を防止することができ、また、冷却剤中の吸収による、送達されるレーザエネルギーの減衰からのパワー損失を最小限にし得る。これらの変数の好適な値への設定および手技全体を通したそれらの制御は、歯科治療に有益となり得る。
【０００８】
空気圧および電気ドリル等の従来の歯科治療システムは、多くの場合、フットペダルを含み、それを使用して、オペレータは、パワー設定を調節するために、手技を一時停止する必要なく、バーの回転速度および／またはパワーを制御し、手技全体を通して、物質除去率が変動されることを可能にすることができる。レーザベースの歯科システムでは、フットペダルは、レーザの発射を作動させ、かつ冷却剤の流動を作動または停止させるために使用されてもよい。所望のレーザパワーは、通常、最初に、オペレータによって設定され、次いで、レーザは、フットペダルを押下することによって発射され、またはペダルを解放することによって、オフにされることができる。治療の任意のパラメータが、変更されるべき場合、手技は、典型的には、一時停止され、オペレータは、１つ以上のシステムパラメータを調節し、次いで、手技を再開し得る。レーザのパルスレートは、治療面積に送達されるレーザエネルギーの量を制御するために制御され得る、パラメータの１つである。しかしながら、パルスレートのみの制御は、多くの治療手技において効果的ではない。
【０００９】
種々の現在使用されているレーザベースの歯科治療システムは、いくつかの付加的不利点を有する。例えば、これらのシステムは、概して、専用ハンドピースを要求し、交換可能なハンドピースの使用をサポートしない。一般に使用される種々のハンドピースは、同時に、レーザパルスおよび冷却剤の両方を送達しない。さらに、ハンドピースは、典型的には、オペレータが、患者に有意な不快感を生じさせずに、レーザエネルギーを歯または歯肉の任意の選択された場所に指向し得るように、回転可能ではない。したがって、改良されたレーザベースの治療システムおよび方法が、必要とされる。
【発明の概要】
【課題を解決するための手段】
【００１０】
（要旨）
本発明の種々の実施形態は、前述で識別された必要性のうちの１つ以上を満たす、歯科レーザ装置を対象とする。これは、部分的に、同時に、レーザパルスおよび冷却剤を治療領域に送達することができる添着可能ハンドピースを有する装置を提供することによって、達成される。ハンドピースは、主チャンバに回転可能に添着されてもよい。溝および密閉機構は、ハンドピースが回転されるにつれて、冷却剤、例えば、空気および水の流体の送達を促進する。したがって、ユーザ（例えば、医師）は、治療を中断せずに、ハンドピースを回転させ、レーザエネルギーを患者の口内の選択された場所に指向することができる。
【００１１】
ハンドピースは、先端角度、ハンドピースの長さ等、ハンドピースの特徴に関する情報を記憶する、回路を含んでもよい。ハンドピースが添着されるべき主チャンバは、記憶された情報を読み取り、自動的に、ミラーの角度、レンズの焦点距離等、レーザ送達システムのパラメータを調節することができる。これは、ユーザが、レーザ送達システムを手動で再構成する必要なく、必要に応じて、ハンドピースを切り替えることを可能にする。
【００１２】
歯科レーザ装置の随意のフットペダルは、パルスレート、パルス幅、パルスあたりのエネルギー等、レーザパルスのシーケンスの特性を変動させてもよい。パルスシーケンスパラメータが、フットペダルの移動に応答して変化するにつれて、主チャンバ内の光学システムの中の検流計が、選択されたパルスシーケンスパラメータに従って調節され得る。これは、ユーザが、必要に応じて、レーザエネルギーの送達を調節することによって、切除手技を微調整することを可能にする。
【００１３】
故に、一側面では、レーザビームを歯科治療面積に指向するための装置は、主チャンバと、主チャンバに添着可能なハンドピースとを含む。主チャンバは、光学サブシステムと、一次流体供給サブシステムとを含む。光学システムは、レーザビームを歯科治療面積に指向するように適合され、一次流体供給サブシステムは、流体を治療面積に指向するように適合される。ハンドピースは、ハンドピースの主チャンバへの添着に応じて、二次流体供給サブシステムが、レーザビームと同時に、冷却剤を歯科治療面積に提供するために、一次流体供給サブシステムと流体連通を形成するように、対合光学サブシステムおよび対合二次流体供給サブシステムを含む。対合光学サブシステムは、レーザビームを歯科治療面積に提供するために、光学サブシステムと整合する。
【００１４】
いくつかの実施形態では、ハンドピースは、主チャンバに回転可能に添着可能である。一次流体供給サブシステムおよび二次流体サブシステムは、ハンドピースが主チャンバに対して回転されるとき、流体連通が維持されるように、環状溝セットおよび対応する半径方向ポートを含む。
【００１５】
一次流体供給サブシステムは、一次水チャネルと、一次空気チャネルとを含んでもよい。二次流体供給サブシステムは、対応する二次水チャネルと、対応する二次空気チャネルとを含んでもよく、対応して、溝セットは、一次および二次水チャネルが、第１の溝を介して、流体連通を形成し、一次および二次空気チャネルが、第２の溝を介して、流体連通を形成するように、第１および第２の環状溝を含んでもよい。本装置はまた、一次および二次流体供給サブシステムと関連付けられた密閉機構を含んでもよい。密閉機構は、少なくとも１つのＯリングを含んでもよい。
【００１６】
別の側面では、レーザビームを歯科治療面積に指向するための装置は、光学サブシステムを含む、主チャンバを含む。本装置はまた、主チャンバに添着可能なハンドピースを含む。ハンドピースは、ハンドピースの特徴に関連する情報を記憶することができる、回路を含む。特徴は、例えば、約９０度先端、コントラアングル１０５度先端等、ある角度における先端であることができる。いくつかの実施形態では、回路内にエンコードされた情報は、ハンドピースの長さ、ハンドピースの直径、先端の角度、および歯科治療面積からの先端の隔離距離のうちの１つ以上を含む。
【００１７】
種々の実施形態では、ハンドピースは、主チャンバに回転可能に添着可能であることができる。本装置は、ハンドピースが回転しないように防止するための機構を含んでもよい。本装置はまた、プロセッサによってエンコードされた情報を抽出するために、ハンドピース内の回路とプロセッサとの間の電気連通を確立するためのインターフェースを含んでもよい。代替として、本装置は、プロセッサによってエンコードされた情報を抽出するために、ハンドピース内の回路とプロセッサとの間の電気連通を確立するためのスリップリングを含んでもよい。いくつかの実施形態では、本装置は、プロセッサによってエンコードされた情報を抽出するために、ハンドピース内の回路とプロセッサとの間の通信を確立するためのＲＦＩＤトランスポンダを含んでもよい。
【００１８】
別の側面では、レーザビームを歯科治療面積に指向するために使用される、ハンドピースに添着可能な整合アタッチメントは、標的構成要素と、ハンドピースの先端に添着可能な隔離固定具とを含む。隔離固定具は、実質的に、先端から発出するレーザビームの焦点に、標的構成要素を配置してもよい。標的構成要素は、プラスチックディスクを含んでもよい。
【００１９】
一側面では、レーザベースの歯科治療システムを制御するためのフットペダルは、歯科治療のために使用されるレーザビームのパワーを制御するために、ユーザの足によって接触するために適合される、上側表面を含む。フットペダルは、レーザパルス繰り返し率および／またはパルスあたりのレーザエネルギーを調節するために適合されてもよい。代替として、または加えて、フットペダルは、検流計率を調節するために適合されてもよい。
【００２０】
一側面では、方法は、主チャンバと、先端を有する可撤性ハンドピースとを有する、レーザベースの治療システムを使用して、レーザビームを歯科治療面積に指向するために提供される。本方法は、ハンドピースが主チャンバに添着された後、ハンドピース内に位置する回路から、先端に関連する情報を読み出すステップを含む。本方法はまた、先端内の一次光学サブシステムおよび二次光学サブシステムを通して通過するレーザビームが、歯科治療面積の選択されたスポットに指向されるように、少なくとも部分的に、読み出された情報に基づいて、主チャンバ内の一次光学サブシステムのミラーの位置を調節するステップを含む。
【００２１】
別の側面では、レーザベースの治療システムを使用して、レーザビームを歯科治療面積に指向する方法は、可動ミラーを介して、レーザパルスの一連のバーストを送達するステップを含む。各バーストは、ＯＮ間隔に続いて、ＯＦＦ間隔を含んでもよい。レーザパルスは、ＯＮ間隔の間、歯科治療面積に指向されてもよく、実質的に、レーザパルスは、ＯＦＦ間隔の間、歯科治療面積に指向されなくてもよい。本方法はまた、（ｉ）一連のバーストの第１のバーストの間、治療面積内の第１の場所と、（ｉｉ）一連のバーストの第２のバーストの間、治療面積内の第２の場所とにレーザパルスを指向するように、ミラーの位置を調節するステップを含む。
【００２２】
本方法はさらに、フットペダルを使用して、ＯＮ間隔の持続時間、ＯＦＦ間隔の持続時間、およびバーストの持続時間のうちの１つ以上を選択するステップを含んでもよい。いくつかの実施形態では、本方法は、ＯＮ間隔、ＯＦＦ間隔、およびバーストのうちの１つ以上の持続時間を選択するように、フットペダルを構成するステップを含む。
【００２３】
一側面では、レーザベースの治療システムを使用して、レーザビームを歯科治療面積に指向する方法は、レーザビームパルスの一連のバーストを送達するステップを含む。レーザビームは、約９μｍ〜最大約１１．５μｍの範囲内の波長を含んでもよい。各バーストは、ＯＮ間隔に続いて、ＯＦＦ間隔を含んでもよく、レーザパルスは、ＯＮ間隔の間、歯科治療面積に指向されてもよく、実質的に、レーザパルスは、ＯＦＦ間隔の間、歯科治療面積に指向されなくてもよい。
【００２４】
いくつかの実施形態では、本方法はさらに、（ｉ）一連のバーストの第１のバーストの間、治療面積内の第１の場所と、（ｉｉ）一連のバーストの第２のバーストの間、治療面積内の第２の場所とにレーザパルスを指向するように、可動ミラーの位置を調節するステップを含む。いくつかの実施形態では、本方法は、中間圧力、すなわち、約２６０〜６００トルのＣＯ２レーザを使用して、レーザビームを発生させるステップを含む。
【００２５】
一側面によると、レーザビームを歯科治療面積に指向するための装置は、主チャンバを形成する筐体を含む。本装置は、主光学サブシステムと、一次流体供給サブシステムとを含み、レーザビームおよび流体を歯科治療面積に指向するように適合される。可撤性ハンドピースは、主チャンバに添着可能であって、ハンドピースは、対合光学サブシステムと、対合二次流体供給サブシステムとを含む。ハンドピースは、ハンドピース内の光学軸を中心として回転可能である。係止部は、係合されると、ハンドピースの選択可能角度配向を主チャンバに対して維持し、係脱されると、ハンドピースが、その光学軸を中心として回転することを可能にする。種々の実施形態では、係止部は、クランプの形態である。
【００２６】
ハンドピースが、主チャンバに添着されると、二次流体供給サブシステムは、レーザビームと同時に、冷却剤を歯科治療面積に提供するために、一次流体供給サブシステムと流体連通を形成する。いくつかの実施形態では、一次流体供給サブシステムおよび二次流体サブシステムは、ハンドピースが主チャンバに対して回転されるとき、流体連通が維持されるように、環状溝セットおよび対応する半径方向ポートを含む。本装置は、随意に、一次および二次流体供給サブシステムと関連付けられた密閉機構、例えば、少なくとも１つのＯリングを含む。
【００２７】
本発明の別の側面によると、ある実施形態は、レーザビームを歯科治療面積に指向するための装置によって定義され、本装置は、主光学サブシステムおよび一次流体供給サブシステムのための主チャンバを形成する筐体を含み、本装置は、レーザビームおよび流体を歯科治療面積に指向するように適合される。ハンドピースは、主チャンバに添着可能であって、ハンドピースは、対合光学サブシステムと、対合二次流体供給サブシステムとを含む。ハンドピースは、ハンドピース内の光学軸を中心として回転可能である。係止部は、係合されると、ハンドピースの選択可能角度配向を主チャンバに対して維持し、係脱されると、ハンドピースが、その光学軸を中心として回転することを可能にする。角度測定センサは、主チャンバに対してハンドピースの選択された角度配向を測定するために提供される。コントローラは、主光学サブシステムと対合光学サブシステムを整合させるように、少なくとも部分的に、選択された角度配向に基づいて、主光学サブシステムを調節するように適合される。
【００２８】
ある実施形態では、コントローラは、係止部への係合に応じて、主チャンバ内のレーザビームの主光学軸が、実質的に、ハンドピースの光学軸と共線状状となるように、主光学サブシステムを調節するように適合される。種々の実施形態による、主光学サブシステムは、モータによって調節可能な少なくとも１つのミラーを含み、コントローラは、モータを制御し、少なくとも１つのミラーの初期位置を調節するように適合される。代替として、または加えて、コントローラは、その機能が、選択された角度配向に従って、主光学サブシステムへの調節を規定する、機能ベースの計算機、および選択された角度配向に従って、主光学サブシステムへの調節を規定する、ルックアップテーブルのうちの少なくとも１つを含む。
【００２９】
本発明の別の側面によると、前述の装置、構造、およびシステムの製造および使用と関連付けられた種々の方法が、企図され、本明細書に記載の本発明の範囲内であると見なされる。
本発明は、例えば、以下を提供する。
（項目１）
レーザビームを歯科治療面積に指向するための装置であって、
光学サブシステムおよび一次流体供給サブシステムを備え、レーザビームおよび流体を歯科治療面積に指向するように適合される、主チャンバと、
前記主チャンバに添着可能なハンドピースであって、対合光学サブシステムおよび対合二次流体供給サブシステムを備える、ハンドピースと、
を備え、それによって、前記ハンドピースの前記主チャンバへの添着に応じて、前記二次流体供給サブシステムは、前記レーザビームと同時に、冷却剤を前記歯科治療面積に提供するために、前記一次流体供給サブシステムと流体連通を形成し、前記対合光学サブシステムは、前記レーザビームを前記歯科治療面積に提供するために、前記光学サブシステムと整合する、装置。
（項目２）
前記ハンドピースは、前記主チャンバに回転可能に添着可能であって、
前記一次流体供給サブシステムおよび前記二次流体サブシステムは、前記ハンドピースが前記主チャンバに対して回転されるとき、流体連通が維持されるように、環状溝セットおよび対応する半径方向ポートを備える、
項目１に記載の装置。
（項目３）
前記一次流体供給サブシステムは、一次水チャネルおよび一次空気チャネルを備え、
前記二次流体供給サブシステムは、対応する二次水チャネルおよび対応する二次空気チャネルを備え、
前記溝セットは、第１および第２の環状溝を備え、
それによって、前記一次および二次水チャネルは、前記第１の溝を介して、流体連通を形成し、前記一次および二次空気チャネルは、前記第２の溝を介して、流体連通を形成する、項目２に記載の装置。
（項目４）
前記一次および二次流体供給サブシステムと関連付けられた密閉機構をさらに備える、項目１に記載の装置。
（項目５）
前記密閉機構は、少なくとも１つのＯリングを備える、項目４に記載の装置。
（項目６）
レーザビームを歯科治療面積に指向するための装置であって、
光学サブシステムを備える、主チャンバと、
前記主チャンバに添着可能なハンドピースであって、前記ハンドピースの特徴に関連するその中にエンコードされた情報を有する、回路を備える、ハンドピースと、
を備える、装置。
（項目７）
前記特徴は、約９０度先端およびコントラアングル約１０５度先端のうちの１つである、項目６に記載の装置。
（項目８）
前記エンコードされた情報は、前記ハンドピースの長さ、前記ハンドピースの直径、前記先端の角度、および前記歯科治療面積からの前記先端の隔離距離のうちの少なくとも１つを備える、項目６に記載の装置。
（項目９）
前記ハンドピースは、前記主チャンバに回転可能に添着可能であって、
前記ハンドピースが回転しないように防止する手段と、
前記プロセッサによって前記エンコードされた情報を抽出するために、前記ハンドピース内の回路とプロセッサとの間の電気通信を確立するためのインターフェースと、
をさらに備える、項目６に記載の装置。
（項目１０）
前記ハンドピースは、前記主チャンバに回転可能に添着可能であって、
前記プロセッサによって前記エンコードされた情報を抽出するために、前記ハンドピース内の回路とプロセッサとの間の電気通信を確立するためのスリップリングをさらに備える、項目６に記載の装置。
（項目１１）
前記ハンドピースは、前記主チャンバに回転可能に添着可能であって、
前記プロセッサによって前記エンコードされた情報を抽出するために、前記ハンドピース内の回路とプロセッサとの間の通信を確立するためのＲＦＩＤトランスポンダをさらに備える、項目６に記載の装置。
（項目１２）
レーザビームを歯科治療面積に指向するために使用される、ハンドピースに添着可能な整合アタッチメントであって、
標的構成要素と、
前記ハンドピースの先端に添着可能であって、それによって、実質的に、前記先端から発出するレーザビームの焦点に、前記標的構成要素を配置する、隔離固定具と、
を備える、整合アタッチメント。
（項目１３）
前記標的構成要素は、プラスチックディスクを備える、項目１０に記載の整合アタッチメント。
（項目１４）
レーザビームを歯科治療面積に指向するために使用される、ハンドピースに添着可能な整合アタッチメントであって、
ビームダンプと、
前記ビームダンプに可撤性に添着可能な感熱紙と、
前記ハンドピースの先端に添着可能であって、それによって、実質的に、前記先端内の開口部から発出するレーザビームの焦点に、前記感熱紙を配置し、前記焦点が、前記開口部と前記ビームダンプとの間に位置する、隔離固定具と、
を備える、整合アタッチメント。
（項目１５）
レーザベースの歯科治療システムを制御するためのフットペダルであって、
歯科治療のために使用されるレーザビームのパワーを制御するために、ユーザの足によって接触するために適合される、上側表面を備える、フットペダル。
（項目１６）
前記フットペダルは、レーザパルス繰り返し率およびパルスあたりのレーザエネルギーのうちの少なくとも１つを調節するために適合される、項目１５に記載のフットペダル。
（項目１７）
前記フットペダルは、検流計率を調節するために適合される、項目１５に記載のフットペダル。
（項目１８）
主チャンバと、先端を有する可撤性ハンドピースとを有する、レーザベースの治療システムを使用して、レーザビームを歯科治療面積に指向する方法であって、
前記ハンドピースが前記主チャンバに添着された後、前記ハンドピース内に位置する回路から、前記先端に関連する情報を読み出すステップと、
前記先端内の一次光学サブシステムおよび二次光学サブシステムを通して通過するレーザビームが、歯科治療面積の選択されたスポットに指向されるように、少なくとも部分的に、前記読み出された情報に基づいて、前記主チャンバ内の一次光学サブシステムのミラーの位置を調節するステップと、
を含む、方法。
（項目１９）
レーザベースの治療システムを使用して、レーザビームを歯科治療面積に指向する方法であって、
可動ミラーを介して、レーザパルスの複数のバーストを送達するステップであって、各バーストは、ＯＮ間隔に続いて、ＯＦＦ間隔を備え、レーザパルスは、前記ＯＮ間隔の間に、前記歯科治療面積に指向され、実質的に、レーザパルスは、前記ＯＦＦ間隔の間、前記歯科治療面積に指向されない、ステップと、
（ｉ）前記複数のバーストの第１のバーストの間、前記治療面積内の第１の場所と、（ｉｉ）前記複数のバーストの第２のバーストの間、前記治療面積内の第２の場所とに前記レーザパルスを指向するように、前記ミラーの位置を調節するステップと、
を含む、方法。
（項目２０）
フットペダルを使用して、前記ＯＮ間隔の持続時間、前記ＯＦＦ間隔の持続時間、および前記バーストの持続時間のうちの少なくとも１つを選択するステップをさらに含む、項目１９に記載の方法。
（項目２１）
前記ＯＮ間隔、前記ＯＦＦ間隔、および前記バーストのうちの少なくとも１つの持続時間を選択するように、フットペダルを構成するステップをさらに含む、項目１９に記載の方法。
（項目２２）
レーザベースの治療システムを使用して、レーザビームを歯科治療面積に指向する方法であって、
レーザビームパルスの複数のバーストを送達するステップであって、前記レーザビームは、約９μｍ〜約１１．５μｍの範囲内の波長を備え、各バーストは、ＯＮ間隔に続いて、ＯＦＦ間隔を備え、レーザパルスは、前記ＯＮ間隔の間、前記歯科治療面積に指向され、実質的に、レーザパルスは、前記ＯＦＦ間隔の間、前記歯科治療面積に指向されない、ステップを含む、方法。
（項目２３）
（ｉ）前記複数のバーストの第１のバーストの間、前記治療面積内の第１の場所と、（ｉｉ）前記複数のバーストの第２のバーストの間、前記治療面積内の第２の場所とに前記レーザパルスを指向するように、可動ミラーの位置を調節するステップをさらに含む、項目２２に記載の方法。
（項目２４）
前記レーザビームは、ＣＯ２レーザによって発生される、項目２２に記載の方法。
（項目２５）
レーザビームを歯科治療面積に指向するための装置であって、
主光学サブシステムおよび一次流体供給サブシステムを備え、レーザビームおよび流体を歯科治療面積に指向するように適合される、主チャンバと、
前記主チャンバに添着可能なハンドピースであって、（ｉ）対合光学サブシステムおよび対合二次流体供給サブシステムを備え、（ｉｉ）前記ハンドピース内の光学軸を中心として回転可能である、ハンドピースと、
係合されると、前記ハンドピースの選択可能角度配向を前記主チャンバに対して維持し、係脱されると、前記ハンドピースが、その光学軸を中心として回転することを可能にするための係止部と、
を備える、装置。
（項目２６）
前記係止部は、クランプを備える、項目２５に記載の装置。
（項目２７）
前記ハンドピースの前記主チャンバへの添着に応じて、前記二次流体供給サブシステムは、前記レーザビームと同時に、冷却剤を前記歯科治療面積に提供するために、前記一次流体供給サブシステムと流体連通を形成する、項目２５に記載の装置。
（項目２８）
前記一次流体供給サブシステムおよび前記二次流体サブシステムは、前記ハンドピースが前記主チャンバに対して回転されるとき、流体連通が維持されるように、環状溝セットおよび対応する半径方向ポートを備える、項目２５に記載の装置。
（項目２９）
前記一次および二次流体供給サブシステムと関連付けられた密閉機構をさらに備える、項目２５に記載の装置。
（項目３０）
前記密閉機構は、少なくとも１つのＯリングを備える、項目２９に記載の装置。
（項目３１）
レーザビームを歯科治療面積に指向するための装置であって、
主光学サブシステムおよび一次流体供給サブシステムを備え、レーザビームおよび流体を歯科治療面積に指向するように適合される、主チャンバと、
前記主チャンバに添着可能なハンドピースであって、（ｉ）対合光学サブシステムおよび対合二次流体供給サブシステムを備え、（ｉｉ）前記ハンドピース内の光学軸を中心として回転可能である、ハンドピースと、
係合されると、前記ハンドピースの選択可能角度配向を前記主チャンバに対して維持し、係脱されると、前記ハンドピースが、その光学軸を中心として回転することを可能にするための係止部と、
前記ハンドピースの選択された角度配向を測定するための角度測定センサと、
前記主光学サブシステムと前記対合光学サブシステムを整合させるように、少なくとも部分的に、前記選択された角度配向に基づいて、前記主光学サブシステムを調節するためのコントローラと、
を備える、装置。
（項目３２）
前記コントローラは、前記係止部への係合に応じて、前記主チャンバ内のレーザビームの主光学軸が、実質的に、前記ハンドピースの光学軸と共線状となるように、前記主光学サブシステムを調節するように適合される、項目３１に記載の装置。
（項目３３）
前記主光学サブシステムは、モータによって調節可能な少なくとも１つのミラーを備え、前記コントローラは、前記モータを制御し、前記少なくとも１つのミラーの初期位置を調節するように適合される、項目３１に記載の装置。
（項目３４）
前記コントローラは、（ｉ）その機能が、前記選択された角度配向に従って、前記主光学サブシステムへの調節を規定する、機能ベースの計算機、および（ｉｉ）前記選択された角度配向に従って、前記主光学サブシステムへの調節を規定する、ルックアップテーブルのうちの少なくとも１つを備える、項目３１に記載の装置。
【図面の簡単な説明】
【００３０】
本発明は、添付の図面および付随の発明を実施するための形態に照らして、より明白となるであろう。その中に描写される実施形態は、限定ではなく、一例として提供され、類似参照番号は、概して、同一または類似要素を指す。異なる図面では、同一または類似要素は、異なる参照番号を使用して参照され得る。図面は、必ずしも、正確な縮尺ではなく、代わりに、本発明の側面の例証に応じて強調される。
【図１Ａ】図１Ａは、歯科レーザシステムの実施形態の種々の構成要素を描写する。
【図１Ｂ】図１Ｂは、歯科レーザシステムの実施形態の種々の構成要素を図式的に描写する。
【図２Ａ】図２Ａは、一実施形態による、直角先端および主チャンバを有する、ハンドピースの断面を描写する。
【図２Ｂ】図２Ｂは、一実施形態による、コントラアングル先端を有する、ハンドピースの断面を描写する。
【図３Ａ】図３Ａは、別の実施形態による、直角先端および主チャンバを有する、ハンドピースの断面を描写する。
【図３Ｂ】図３Ｂは、図３Ａに描写される、ハンドピースおよび主チャンバの連結部を図示する。
【図３Ｃ】図３Ｃは、図３Ａに描写される、ハンドピースおよび主チャンバの連結部を図示する。
【図３Ｄ】図３Ｄは、一実施形態による、コントラアングル先端を有する、ハンドピースの断面を描写する。
【図３Ｅ】図３Ｅは、旋回式光学を横断する噴流蒸気のためのノズルを含む、ハンドピースの断面を描写する。
【図４】図４は、一実施形態による、導波管を含む、ハンドピースの断面を描写する。
【図５Ａ】図５Ａは、一実施形態による、ハンドピースおよび主チャンバの整合を図式的に図示する。
【図５Ｂ】図５Ｂは、ハンドピースおよび主チャンバの整合のための回路の種々の実施形態を図式的に図示する。
【図５Ｃ】図５Ｃは、ハンドピースおよび主チャンバの整合のための回路の種々の実施形態を図式的に図示する。
【図５Ｄ】図５Ｄは、ハンドピースおよび主チャンバの整合のための回路の種々の実施形態を図式的に図示する。
【図６Ａ】図６Ａは、種々の実施形態による、整合を試験するための構成要素を描写する。
【図６Ｂ】図６Ｂは、種々の実施形態による、整合を試験するための構成要素を描写する。
【図６Ｃ】図６Ｃは、種々の実施形態による、整合を試験するための構成要素を描写する。
【図７】図７Ａおよび７Ｂは、一実施形態による、ハンドピースおよび主チャンバの断面を描写する。図７Ｃは、図７Ａおよび７Ｂに描写される、ハンドピースおよび主チャンバの暴露された構成要素を描写する。
【図８Ａ】図８Ａおよび８Ｂは、図７Ａおよび７Ｂに描写される、ハンドピースおよび主チャンバの種々の例示的配向を描写する。
【図８Ｂ】図８Ａおよび８Ｂは、図７Ａおよび７Ｂに描写される、ハンドピースおよび主チャンバの種々の例示的配向を描写する。
【図８Ｃ】図８Ｃは、一実施形態による、関節運動アームに連結される、図７Ａおよび７Ｂに描写される、ハンドピースおよび主チャンバを描写する。
【図９Ａ】図９Ａは、一実施形態による、フットペダルの構成要素を描写する。
【図９Ｂ】図９Ｂは、一実施形態による、フットペダルを使用したパルス状レーザの制御を図式的に図示する。
【図１０Ａ】図１０Ａおよび１０Ｂは、２つの実施形態による、２つのパルスパターンを図式的に図示する。
【図１０Ｂ】図１０Ａおよび１０Ｂは、２つの実施形態による、２つのパルスパターンを図式的に図示する。
【図１０Ｃ】図１０Ｃ−１０Ｅは、種々の実施形態による、治療面積へのレーザビームの移動およびエネルギーの対応する送達を図式的に図示する。
【図１０Ｄ】図１０Ｃ−１０Ｅは、種々の実施形態による、治療面積へのレーザビームの移動およびエネルギーの対応する送達を図式的に図示する。
【図１０Ｅ】図１０Ｃ−１０Ｅは、種々の実施形態による、治療面積へのレーザビームの移動およびエネルギーの対応する送達を図式的に図示する。
【発明を実施するための形態】
【００３１】
（詳細な説明）
（レーザベースの歯科治療システム）
図１Ａを参照すると、例示的レーザ治療装置１００では、レーザ源からのレーザビームは、関節運動アームランチ１の中に指向される。ビームはさらに、関節運動式アーム２の中に指向され、ランチ１と反対端を通して、そこから出射する。歯科レーザシステム３は、交換可能ハンドピース５を含む。フットペダル７は、歯科レーザシステム３を制御することができる。フットペダル７は、例証にすぎず、以下に説明されるように、歯科レーザシステムの１つ以上のパラメータの制御は、マウス、キーボード、ジョイスティック、タッチスクリーンパネル、スライダスイッチ等の任意の好適なスイッチを使用して達成されることができることを理解されたい。
【００３２】
図１Ｂを参照すると、フットペダル７に印加される圧力は、例えば、コンピュータ８０を制御するように変動されることができ、これは、順に、レーザ源８４の動作を制御するように、レーザコントローラ８２を制御することができる。フットペダル７（または、一般に、任意のスイッチ）を使用して、レーザ源８４は、オン／オフにされてもよく、および／またはレーザビームのパルス、その強度、冷却剤の流速および／または圧力等の他のシステムパラメータが、制御されてもよい。レーザビームは、概して、関節運動アーム８６内の光学システム８７を通して、主チャンバに通過する。主チャンバ内の別の光学システムを介して、レーザビームは、ハンドピース５の先端に指向される。冷却剤源８８からの冷却剤は、コンピュータ制御式冷却剤ポンプ９０を使用して、関節運動アーム８６を介して、ハンドピース５に供給されてもよい。空気源９２からの加圧された空気もまた、コンピュータ制御式弁９４を使用して、関節運動アーム８６を介して、ハンドピースに供給されてもよい。加圧された空気は、冷却剤と組み合わせて、冷却噴霧を発生させるために使用されてもよく、および／またはハンドピース５内に位置する種々の構成要素を保護するために使用されてもよい。
【００３３】
（自由回転可能ハンドピース）
図２Ａを参照すると、ハンドピース２０５ａは、軸２０４ａから別の軸２０４ｂにレーザビームを再指向することができる、約９０°旋回式光学２０１を含む。水および／または空気導管２０２は、ハンドピース２０５ａを通して通過し、切除用インサート２１９を介して退出する。空気および水噴霧（ミスト）は、噴霧用オリフィス２２０を介して、切除用インサート２１９から流出することができる。切除用インサート２１９は、ハンドピース２０５ａに取り付けられることができる、約９０°先端２２１内に搭載される。
【００３４】
レーザビームは、典型的には、その上部開口部を通して、主チャンバ／筐体２０３に入射し、集束光学２１１を通して通過する。レーザビームは、次いで、対応する電流計／サーボ２１２ａ、２１２ｂを介して制御される、２つのミラー２１３ａ、２１３ｂに反射し、実質的に、光学軸２０４ａに沿って伝搬する。レーザビームは、次いで、約９０°旋回式ミラー２０１に反射し、実質的に、軸２０４ｂに沿って指向される。
【００３５】
照明ボード２１４上に配置されるダイオード２１５によって産生される照明光は、光漏斗２１６を通して、約９０°旋回式ミラー２０１に向かって通過する。ハンドピース２０５ａの回転式ドラム２０６は、３つの溝２２４を有する。各溝は、対応する導管２２２、すなわち、２つの空気導管および１つの水導管を介して与えられる。溝２２４は、４つのＯリング２１７を用いて密閉される。回転式ドラム２０６は、実質的に、軸受２１８を使用して、定位置に保持されるが、軸受は、ドラム、故に、ハンドピース２０５ａが、光学軸２０４ａを中心として自由に回転することを可能にする。したがって、オペレータは、便宜的に、ハンドピース上の先端をレーザビームを治療の選択された面積に指向するように配向することができる。プラスチック筐体２１０は、埃密閉のために、実質的に、アセンブリ全体を被覆する。ランプ２０９と界面接触するノブ２０８（係止リングとも呼ばれる）は、実質的に、光学整合を維持しながら、すなわち、静止位置におけるミラー２１３ａ、２１３ｂによって反射されたレーザビームが、実質的に、光学軸２０４ａに沿って指向されるように、ハンドピース２０５が、容易に除去および変更されることを可能にする。
【００３６】
交換可能ハンドピース２０５ａは、係止リング２０８を使用して、源からのレーザビームをハンドピース２０５ａに提供する、主チャンバ２０３に取り付けられる、回転式ドラム２０６に取り付けられる。回転式ドラム２０６は、ドラム２０６に対して係止リング２０８の回転を可能にするように、定常に保持されてもよい。これは、ドラム２０６の回転を防止するように押下されるとき、ドラム２０６内の軸方向開口部に進入する、プランジャを使用して、またはオペレータが、実質的に、ドラム２０５が回転しないように防止するために保持し得る、円周方向グリップを使用することによって、達成されることができる。いったん係止リング２０８が係止し、したがって、ハンドピース２０５ａを主チャンバ２０３に取り付けると、プランジャは、解放され、ドラムおよびハンドピース２０５ａが、軸受２１８を使用して、筐体内で自由に回転することを可能にしてもよい。
【００３７】
ドラム２０６の円周の周囲の溝２２４、ドラム内の軸方向開口部、溝にわたる主チャンバの表面内の半径方向開口部、およびＯリング２１７のアセンブリは、ハンドピース２０５ａが光学軸２０４ａを中心に自由に回転するときでも、送給導管２２２と対応する空気および水導管２０２との間に流体連通を生成する。これは、主チャンバからハンドピース２０５ａの先端２２１への流体の送達を可能にする。
【００３８】
流体（例えば、空気および水等の冷却剤流体）が、ハンドピース先端２２１に到達すると、これらの流体は、混合チャネル内でともに混合されることができ、次いで、選択された形状およびサイズのオリフィス２２０を通して放出され、冷却噴霧を生成してもよい。冷却噴霧は、冷却するための治療面積に指向され、歯が非安全温度まで加熱されないように防止することができる。噴霧用オリフィスの方向は、レーザによって治療されている面積の中心またはその近傍に噴霧を集束させるように選択されることができる。レーザ治療面積またはその近傍に集束されない、あるいは不十分である、噴霧は、歯のエナメル質の溶融を生じさせ得、これは、硬組織の治療に有意に干渉し得る。溝Ｏリングアセンブリは、適切な冷却噴霧の生成および送達を可能にするように、ハンドピースの先端への流体連通および流体の送達を可能にする。
【００３９】
別個の空気流もまた、空気の噴流を生成するために、噴霧用流体と同様に、ハンドピースの先端に提供されることができる。空気噴流は、レーザビームを横断して形成されてもよく、層流空気ナイフ障壁を提供するための拡大出口２１９を通して出射してもよい。代替として、または加えて、空気噴流は、旋回式ミラーから任意の残骸を再指向するために、旋回式ミラー２０１にわたって形成され、それにわたって空気シースを生成してもよい。
【００４０】
空気噴流は、その開口部を通して先端２２１に進入し得る、治療表面から飛び跳ねた冷却剤または治療面積からの焼灼された物質等、任意の残骸を最小限化または排除することができる。そのような残骸は、集束レーザビームを治療面積に指向するために使用される旋回式ミラー２０１を汚染し、したがって、望ましくない様式において治療に影響を及ぼし得る。
【００４１】
図２Ｂを参照すると、別の交換可能ハンドピース２０５ｂは、約１０５°の先端角度を有する。本コントラアングルハンドピースは、典型的には、約９０°以外の角度において、歯科面積の治療を可能にする。空気および水導管２０２は、流体をハンドピース先端２２１の中に送給し、噴霧用オリフィス２２０を介して治療面積に指向されるべき噴霧を形成する。コントラアングル先端２２１は、光学軸２０４ｂに対して約１０５°の角度にあって、コントラアングル旋回式ミラー２０７は、直角ハンドピース先端の旋回式ミラーに対して約７．５°の角度にある。例えば、直角先端旋回式ミラーは、ハンドピースの光学軸に対して約４５°の角度に配置されてもよい一方、コントラアングル先端旋回式ミラーは、光学軸に対して約５２．５°の角度に配置されてもよい。ハンドピース２０５ｂはまた、それを通して先端２２１の開口部を横断する空気噴流が出射し得る、空気窓２１９を含む。ハンドピース２０５ａと併用され得る、主チャンバ２３０内の同一の流体連通システムも同様に、本可撤性ハンドピース２０５ｂと併用されることができる。ハンドピース先端の角度は、関連付けられた認識チップ内にエンコードされてもよく、内部コンピュータによって読み取られ、有意なユーザ介入を伴わずに、光学システムおよび／またはビーム走査パターンに必要な調節を可能にしてもよい。
【００４２】
図３Ａを参照すると、直角（約９０°）ハンドピース先端９が、交換可能ハンドピース５に取り付けられる。歯科レーザシステム３は、主チャンバ１０を含み、それを通して、関節運動アームから出射後、レーザが指向される。ハンドピース５は、連結部１１を使用して、主チャンバ１０に接続される。ハンドピース５および主チャンバ１０は両方とも、第１の光学軸１３を含む。連結部１１は、ハンドピースの軸１３および主チャンバ１０内の軸１３が、実質的に、共線状であって、それによって、交換可能ハンドピース５と主チャンバ１０を整合させるように、主チャンバ１０へのハンドピース５の取付を可能にする。これは、概して、レーザビームが、ハンドピースを通して、規定の標的領域に向かって指向されることを可能にする。
【００４３】
レーザビームは、１つ以上の調節可能ミラー２３を使用して、主チャンバ１０を通して、交換可能ハンドピース５に向かって指向される。検流計２５（一般に、サーボ機構）は、ミラー２３に取り付けられ、ミラーの角度移動および電子的に制御されたビーム誘導を可能にする。レーザビームは、約９μｍ〜約１１．５μｍの範囲内の波長を有することができ、中間圧力レーザ源を使用して得られてもよい。ビームは、ＣＯ２レーザを使用して発生されてもよい。
【００４４】
主チャンバ１０内の一次マニホールド２１の中に位置する、１つ以上の一次流体ポート１９は、１つ以上の流体源（図示せず）と流体連通する。液体冷却剤および空気等の流体は、その個別の源から個別の一次流体ポート１９に流動してもよい。連結部１１は、１つ以上の二次流体ポート１５を含み、それぞれ、交換可能ハンドピース５内の二次管１７（部分的に、示される）のうちの少なくとも１つと流体連通し、したがって、１つ以上の一次流体源からハンドピース先端９への流体連通を可能にする。例えば、一実施形態では、冷却剤および空気は、混合チャンバ４０を含む、噴霧ノズル３９に送達され、そこで、流体が組み合わせられ、冷却剤スプレーの微粒化された噴霧を形成するように噴流される。
【００４５】
この目的を達成するために、１つ以上の環状溝２７が、主チャンバ１０内に形成される。溝は、概して、第１の光学軸１３に対して同心であって、１つ以上のシール２９によって含有される。密閉は、例えば、溝２７等の溝の両側の２つのＯリング２９によって提供されることができる。一実施形態では、溝２７は、主チャンバ１０の一次マニホールド２１の上部表面内に形成される。二次マニホールド３１は、溝２７にわたって回転することができる。二次マニホールド３１は、交差穿孔開口部２０を含む。各開口部２０は、対応する出口１８に連結され、また、溝２７のうちの１つと関連付けられる。これは、溝２７と対応する二次流体出口１８との間に流体連通を可能にする。
【００４６】
二次流体出口１８は、ハンドピース連結部１１内の対応する二次流体ポート１５に連結される。ハンドピース５が、光学軸１３の周囲で回転されるにつれて、二次マニホールド３１もまた、一次マニホールド２１にわたって回転することができる。二次流体出口１８は、回転の間、開口２０を介して、溝２７との流体連通を維持してもよい。したがって、流体連通は、ハンドピースが軸１３を中心として回転されるにつれて、一次ポート１９、対応する二次出口１８、対応する二次ポート１５、および対応する二次管１７間に維持されることができる。
【００４７】
図３Ｂを参照すると、第１の一次流体ポート１９ａは、主チャンバ３０内の右の最遠位に位置する、第１の環状溝２７ａと流体連通する。第１の環状溝２７ａもまた、前述のように、開口部２０ａおよび出口１８ａを介して、交換可能ハンドピース連結部１１上の第１の二次流体ポート１５ａと流体連通する。二次流体ポート１５ａは、断面ＡＡに見られるように、光学軸１３に対するハンドピース５の１つの回転配向において見られることができる。本配列は、光学軸１３を中心とする連結されたハンドピース５の完全回転を通して、第１の一次流体ポート１９ａと対応する第１の二次流体ポート１５ａとの間に密閉された流体連通を可能にする。
【００４８】
図３Ｃを参照すると、第２の一次流体ポート１９ｂは、主チャンバ３０の最左端近傍に位置する、第２の環状溝２７ｂと流体連通する。第２の環状溝２７ｂは、断面ＢＢに描写されるように、光学軸１３に対するハンドピース５の異なる回転配向に見られ得る、第２の二次流体ポート１５ｂと流体連通する。第２の一次流体ポート１９ｂおよび第２の二次流体ポート１５ｂは、一次マニホールド２１の円周の周囲全体に延設される、第２の環状溝２７ｂを介した完全回転を通して、開口部２０ｂおよび出口１８ｂを介して、密閉された流体連通を維持することができる。
【００４９】
再び、図３Ａを参照すると、ハンドピース５および連結部１１の回転は、軸受３３によって促進される。交換可能ハンドピース５は、連結部１１と噛合し、主チャンバ１０に回転可能に添着される。一実施形態では、交換可能ハンドピース５は、バヨネット係止特徴３６を通して、連結部に添着される。ハンドピース５の回転は、グリップ３８を使用して防止されることができる。交換可能ハンドピース５の一実施形態では、旋回式ミラー３５は、第２の光学軸３７に沿って、第１の光学軸１３からの入射レーザビームを治療面積に指向する。図３Ａに描写される実施形態では、第１の光学軸と第２の光学軸との間の角度は、約９０°である。図３Ｄに描写される別の実施形態では、本角度は、約１０５°である。図３Ｄを参照すると、コントラアングルハンドピース先端４１は、光学軸１３、３７間に約１０５°の角度を生じる。これらの２つの角度（すなわち、約９０°および約１０５°）は、例証にすぎない。７５°〜１２５°の範囲内のハンドピース先端角度が、使用されてもよい。
【００５０】
（旋回式光学と平行な空気）
図３Ｅを参照すると、交換可能ハンドピース５内では、旋回式ミラー３５が、第２の光学軸３７に沿って、レーザビーム入射を光学軸１３から治療面積に指向する。歯科施術の間、冷却剤および／または残骸が、軸３７の周囲の先端内の開口部を通して進入し得、ミラー３５の反射表面に積もり、それによって、ミラーの反射率に影響を及ぼし得る。そのような汚染を防止または少なくとも軽減するために、実質的に、旋回式ミラー３５に平行であって、かつそれにわたる流体（典型的には、圧縮された空気）流が、ノズル６７を使用して形成され、旋回式ミラー３５にわたって保護障壁を提供することができる。ノズル６７によって供給される典型的空気圧力は、約４０ｐｓｉである。一般に、空気圧力は、約１０ｐｓｉ〜最大約１００ｐｓｉまで変動することができる。流体流または噴流は、焼灼された物質の大粒子が、旋回式ミラー３５に融着しないように防止することができる。
【００５１】
いくつかの実施形態では、ハンドピースは、直線中空波ガイドまたはファイバを含むことができる。図４を参照すると、中空波ガイド４３が、ねじ山付きハブ４５に添着され、その２つは、中空波ガイド４３が、実質的に、一次光学軸１３と同心であるように、交換可能ハンドピース５上の受信機４７の中に螺入される。中空波ガイド４３およびねじ山付きハブ４５は、治療間に置換されてもよい。中空波ガイド４３はまた、非可撓性ハンドピースを使用して、または従来のバーを使用して、便宜的に治療されることができない面積または領域に、レーザエネルギーを送達するように屈曲されてもよい。
【００５２】
（ハンドピースの整合）
交換可能ハンドピースは、個々の交換可能ハンドピースに特有の情報を含有する、エンコードされたチップを含有してもよい。ハンドピースが、主チャンバに取り付けられると、チップと歯科レーザシステム内の内部コンピュータとの間の電気接続が、コンピュータが、チップ上に位置するエンコードされた資料を読み取ることを可能にし得る。歯科システムは、システムコンピュータが、その上のチップ上にエンコードされた情報を読み出すことによって、取り付けられたハンドピースを認識する場合のみ、動作され得るように構成されることができる。ハンドピース上のチップは、ハンドピースの長さ、その中心軸の場所、ハンドピースと関連付けられたデフォルト手技、流体圧力および流動要件、レーザパワー限界、ならびに利用可能な走査可能面積を含む、ハンドピースのある定義特性を含んでもよい。本情報を使用して、取り付けられる交換可能ハンドピースの能力が、識別されてもよく、システムデフォルトが、設定されてもよい。
【００５３】
あるハンドピースが、別のものと置換されるため、個々の交換可能ハンドピース間の整合に、わずかな差異が、生じ得る。これは、交換可能ハンドピース毎に、ハンドピース内の旋回式ミラー３５の中心または中空波ガイド４３の中心の場所に変動をもたらし得る。言い換えると、ハンドピース内の光学軸は、実質的に、主チャンバ３０内の対応する光学軸と共線状状ではなくなり得る。その結果、あるハンドピースが、別のものと置換されると、レーザビームが、標的領域に指向されないかも知れない。そのような不整合は、主チャンバに取り付けられる際、各ハンドピースを認識し、取り付けられたハンドピースに関する情報を使用して、主チャンバおよび取り付けられたハンドピース内の光学軸が、実質的に、共線状となるように、主チャンバ内の光学システムを調節することによって、排除または少なくとも最小限にされることができる。
【００５４】
この目的を達成するために、図５に描写されるように、異なるタイプのハンドピース（例えば、約９０°の先端角度を有する、コントラアングル先端、中空波ガイド、またはファイバを有する等）が、各交換可能ハンドピース５に取り付けられた１つのワイヤ認識ボード４９を使用して、レーザシステムによって認識されることができる。１つのワイヤ認識ボード４９は、レーザシステムのシャーシに接地されてもよく、ハンドピース５の特性を認識することができる必要電気回路を形成するために、ボードへの単一電気接続のみ要求してもよい。単一接続は、主チャンバに対してハンドピースの回転を可能にすることができる。
【００５５】
各個々のハンドピースの旋回式ミラーあるいはミラーまたは中空波ガイドの中心の実際の場所は、１つのワイヤ認識ボード４９上にエンコードされてもよい。交換可能ハンドピース５が、レーザシステム３に接続されると、エンコードは、レーザシステムによって読み取られ、第１の光学軸１３（すなわち、主チャンバ３０内の光学軸）が、実質的に、取り付けられた交換可能ハンドピース５の中心と整合されるように、検流計／サーボが、ビームを再指向させることができてもよい。
【００５６】
例証として、あるハンドピース内の旋回式ミラー３５の中心の場所と第１の光学軸１３にわずかな逸脱ｄが存在し得る。逸脱ｄは、基準ハンドピース内の旋回式ミラーの中心の場所に対してそのような逸脱を有する、交換可能ハンドピース５の１つのワイヤ認識ボード４９上にエンコードされてもよい。ハンドピース５が、システム３に取り付けられると、逸脱ｄは、歯科レーザシステム３の中に読み取られ、検流計／サーボ２５は、ミラー２３の初期角度位置を再調節することができる。これは、第１の光学軸１３を再配向し、調節された第１の光学軸１３ｄに対して逸脱を考慮することができる。本調節は、調節された第２の光学軸３７ｄに第２の光学軸３７のさらなる調節を生じさせ得、これは、規定の標的面積／領域に指向され得る。代替として、または加えて、認識ボード上にエンコードされ得る、他のパラメータとして、ハンドピースがレーザシステムに取り付けられた回数および個々の交換可能ハンドピースの製造番号が挙げられる。
【００５７】
図５Ｂおよび５Ｃに描写されるように、一実施形態では、ボード４９は、エンコードされたチップ５１と、接続パッド５３とを含む。チップは、典型的には、各ハンドピースに一意である、識別コードと、認識チップが取り付けられるハンドピースの３つのタイプ（すなわち、略直角先端、コントラアングル先端、および中空導波管）のいずれであるかを識別するコードとを用いてエンコードされる。交換可能ハンドピース５が、レーザシステム３に取り付けられると、ばねピン５５が、チップとの電気連通を提供する、認識ボード４９上の接触パッド５３と接触し、システムコンピュータが、エンコードされたチップ５１内に含有されるコードを読み取ることを可能にすることができる。
【００５８】
エンコードされたデータの通信は、スリップリングと電気連通し、レーザシステム３の回転要素と定常要素との間に電気的連続性を可能にする、電気伝導性導線５７を使用して促進されることができる。スリップリングは、典型的には、２つのリング、すなわち、ばね接点６０を含む、ブラシリング５９と、電気伝導性トラックを含む、トラックリング６１とを含む。トラックリング６１上の電気伝導性トラックは、ハンドピース５の完全回転全体を通して、ブラシリング５９のばね接点６０と接触し、交換可能ハンドピース５の回転配向にかかわらず、エンコードされたデータの電気連通を可能にし得る。
【００５９】
図５Ｄに図式的に描写されるように、アクティブ無線周波数（ＲＦ）受信機６３は、交換可能ハンドピース５とレーザシステム３との間の直接電気接続を伴わずに、認識ボード４９との通信を可能にする。本実施形態では、認識ボード４９は、パッシブＲＦＩＤタグを含む。アクティブＲＦ受信機６３は、直接、通信ワイヤ６５を用いて、レーザシステム３に接続される。
【００６０】
図６Ａおよび６Ｂを参照すると、ハンドピースの先端から発出するレーザビームの整合は、整合ディスク７３を使用して試験されることができる。整合ディスク７３は、約９０°ハンドピース先端９の端部に取り付けられる。したがって、取り付けられると、整合ディスク７３は、実質的に、第２の光学軸３７を中心として同心であるように設計される。整合ディスク７３は、そこに取り付けられると、ハンドピース先端に面する表面上にマークされた標的７５（例えば、照準線）を有する。整合ディスク７３および標的７５は、治療および／またはマーキングレーザによって照射されるとマークされる、材料を使用して作製されることができる。これは、ユーザが、集束レーザビームおよびビーム誘導システムの整合を確実にすることを可能にする。例えば、レーザビームが、標的７５と整合される、マーク７７を発生させる場合、システムは、レーザビームを選択された歯科治療面積に送達する可能性が高い。しかしながら、レーザビームが、マーク７９を発生させる場合、レーザビームが整合ディスク７３上の標的７５の中心またはその近傍に集束するであろうように、ビーム誘導システムへの調節が、必要となり得る。
【００６１】
６Ｃを参照すると、一実施形態では、整合アタッチメント６３が、ハンドピースの端部１６に添着される。整合アタッチメントは、ビームダンプ６５を含んでもよい。ビームダンプは、ビーム出口４５下に位置付けられ、レーザパワーを吸収し、例えば、任意の迷光反射を防止することができる。感熱紙燃焼カード６７が、赤外線レーザビームの場所を可視的に検出するために使用されてもよい。感熱紙燃焼カード６７をビームダンプ６５とビーム出口４５との間に設置することは、ビームが、ビームおよびその標的の存在を検出するように、感熱紙燃焼カードに向かって安全に指向されることを可能にする。感熱紙燃焼カードを通して燃焼するエネルギーは、ビームダンプによって安全に吸収される。整合アタッチメントは、ユーザが、臨床使用に先立って、主および対合光学サブシステムの任意の不整合を検出することを可能にする。
【００６２】
例えば、治療レーザビームは、可視スペクトル内の標的化レーザビームと共線状に整合され、オペレータが、治療レーザビームを選択された面積に標的化することを可能にすることが予期される。標的化レーザビームと治療レーザビームとの間の任意の不整合は、治療のために選択されていない組織の照射をもたらし得る。本リスクは、整合アタッチメントを添着し、感熱紙燃焼カードの表面上の標的化ビームの場所に留意し、治療レーザを発射し、燃焼カード内の結果として生じる燃焼が、実質的に、治療レーザビームが感熱紙燃焼カードに衝突したのと実質的に同一の場所であることを確実にすることによって緩和されることができる。
【００６３】
いくつかの事例では、ハンドピースが主チャンバに添着されるとき、主チャンバ内の光学軸２６およびハンドピース内の対合光学軸４１が、共線状であって、したがって、整合されている場合でも、ハンドピースが、例えば、レーザビームを異なる治療面積に指向するために、異なる角度位置に回転されるとき、２つの光学軸２６、４１間に不整合が存在し得る。代替として、ハンドピースが、ある角度位置において、主チャンバに添着されるとき、主チャンバ内の光学軸２６および対合光学軸４１が、共線状である、したがって、整合されている場合でも、ハンドピースが、異なる角度位置において主チャンバに添着される場合、２つの軸２６、４１は、整合され得ない。
【００６４】
具体的には、ハンドピース内の対合光学軸４１は、主チャンバ内の光学軸２６に対してわずかに角度が付けられて（例えば、０．２度、０．５度、１度、３度、５度等）整合され得る。そのような不整合は、例えば、ハンドピースの断面および／または対応するＯリングが、対合光学軸４１を中心として完全に対称ではない場合があるために生じ得る。同様に、主チャンバおよび／または対応するＯリングの断面も、光学軸２６を中心として完全に対象ではない場合があり、それによって、本明細書に説明される不整合を生じさせる。角度エンコーダは、コントローラと組み合わせて、そのような不整合誤差を補正または少なくとも低減させるために使用されることができる。
【００６５】
一実施形態では、主チャンバに対するハンドピースの角度配向は、ハンドピースが主チャンバに添着されると、角度測定センサによって感知される。角度測定センサは、主チャンバ内に位置付けられる、光源および光検出器を含む、光学センサと、ハンドピース上に位置付けられる、光学的にエンコードされたディスクとを含んでもよい。ハンドピースが主チャンバに添着されると、光学的にエンコードされたディスクは、光学センサによって読み取られることができる。光学的にエンコードされたディスクは、主チャンバ内に位置する光学センサに対するディスクの角度配向、故に、主チャンバに対するハンドピースの角度配向を関連させる、一意のコードを生じる、光学パターンを含んでいてもよい。
【００６６】
代替として、または加えて、角度測定センサは、磁気エンコーダを含んでもよい。磁気エンコーダは、ハンドピース上に位置する一連の磁極と、主チャンバ上に位置付けられる、磁気抵抗またはホール効果センサ等の磁気センサとを含んでもよい。典型的には、磁気センサに対する磁極の角度位置が、感知され、それによって、ハンドピースが主チャンバに添着されると、主チャンバに対するハンドピースの角度配向を判定する。
【００６７】
一実施形態では、角度測定センサは、容量エンコーダを含む。典型的容量エンコーダは、ハンドピース上に位置付けられる、電気伝導性の非対称的に成形されたディスクを含む。ハンドピースが主チャンバに添着されると、非対称的に成形されたディスクと２つの電極との間で接触が行われるように、２つの電極が、主チャンバ上に配置される。主チャンバに対するハンドピースの角度配向の変化は、概して、容量エンコーダの２つの電極に対して、非対称的に成形されたディスクの配向を変更させ、２つの電極との間に静電容量の変化をもたらす。したがって、２つの電極間の静電容量の測定は、主チャンバに対するハンドピースの角度配向の測定値を提供することができる。
【００６８】
いくつかの実施形態では、角度測定センサは、電気機械的エンコーダを含む。機械的エンコーダは、いくつかの開口部を有する絶縁ディスクと、そのような開口部の背後のいくつかの電気パッドとを含む。電気パッドはそれぞれ、スイッチ等の対応する電気センサと電気連通する。絶縁ディスクは、主チャンバ上に位置してもよい。電気機械的エンコーダはまた、ハンドピースが主チャンバに添着されると、摺動式オス型接点が絶縁ディスクと界面接触するように、ハンドピース上に位置付けられ得る、いくつかの摺動式オス型接点の列を含む。ハンドピースは、主チャンバに対して異なる角度配向で添着されるとき、異なるオス型接点が、異なる電気パッドと物理的接触を確立することを可能にする。主チャンバに対するハンドピースの角度配向は、次いで、少なくとも部分的に、オス型接点とパッドとによって行われる１つ以上の電気接続に基づいて、判定されてもよい。
【００６９】
種々の実施形態では、センサによって感知される、主チャンバに対するハンドピースの角度配向は、コントローラによって読み取られる。各角度配向は、主チャンバ内の光学軸と対合光学軸との間の角度を表す整合誤差と関連付けられ得る。典型的には、２つの軸間の約１８０度角度は、適切な整合を表すが、異なる角度、例えば、１７５度、１６０度等もまた、ハンドピースの形状およびその中の旋回式光学の場所に応じて、適切な整合を表し得ることを理解されたい。適切な整合を表す角度からの逸脱は、ビームに対する感知されたハンドピースの角度配向を対応する整合誤差を示す。ハンドピースの異なる角度配向に対応する整合誤差は、角度配向のルックアップテーブルまたは数学的関数として表されることができる。
【００７０】
種々の実施形態では、コントローラは、少なくとも部分的に、整合誤差に基づいて、ビーム誘導システムを制御する。ビーム誘導システムは、レーザビームを反射させるミラーを有する、検流計を含んでもよい。レーザビームの焦点の位置を判定する、ミラー位置は、検流計およびコントローラによって、サーボ機械的に制御されてもよい。主チャンバ内の光学軸およびハンドピース内の対合光学軸が、角度エンコーダの読取値から判定されるように、不整合される場合、１つ以上のミラーの初期位置は、読み出されたセンサ読取値に対応する整合誤差に従って、コントローラおよび検流計によって調節されることができる。したがって、レーザビームの焦点は、実質的に、焦点が２つの軸が適切に整合されるときに生じるであろう、同一の場所に戻るようにシフトされることができる。
【００７１】
（回転可能に配向可能であるが、非自由回転式ハンドピース）
前述のハンドピースは、治療レーザビームおよび冷却剤の両方を治療面積に指向することができる。ハンドピースはまた、標的化またはマーク化レーザを治療面積に指向することができる。ハンドピースは、主チャンバ内の流体供給サブシステムとハンドピース内の対合流体供給サブシステムとの間の流体連通を維持しながら、レーザビーム送達システムの主チャンバに対して自由に回転することができる。自由に回転するハンドピースを使用して、オペレータは、有意な不快感を治療されている者に生じさせずに、便宜的かつ正確に、レーザビームを治療面積に指向することができる。
【００７２】
しかしながら、ハンドピースの自由回転能力は、ハンドピースの偶発的な意図されない回転をもたらし、レーザビームを治療のために選択されていない面積に指向され得る。ハンドピースの回転はまた、潜在的に、主チャンバ内の光学サブシステムとハンドピース内の対合光学サブシステムの若干の不整合を生じさせ、レーザビームが、オペレータによって選択されたもの以外の若干異なる場所に指向される結果をもたらし得る。したがって、これらの些細な問題の一方または両方に対処するための改良されたシステムおよび方法が、本明細書に説明される。
【００７３】
種々の実施形態では、ハンドピースは、主チャンバ内の流体供給サブシステムとハンドピース内の対合流体供給サブシステムとの間に流体連通を維持しながら、主チャンバに対して種々の角度位置に配向されることができる。ハンドピースは、ハンドピースの偶発的意図されない回転と関連付けられたリスクを低減させるように、選択された位置に係止されることができる。ハンドピースおよび主チャンバ内の光学サブシステムは、少なくとも部分的に、センサを使用して判定される、ハンドピースの角度位置に基づいて、整合されることができる。
【００７４】
図７Ａ−７Ｃを参照すると、主光学サブシステム１３および一次流体供給システム１５を有する、主チャンバ１１が、ハンドピース１６に添着される。一実施形態では、光学サブシステムは、関節運動アーム１７を含み、それを通して、レーザビームが、第１の検流計ミラー１９に向かって出射する。第１の検流計ミラーは、第１の検流計２１のシャフトに取り付けられる。第１の検流計ミラーの第１の軸内の角度配向、したがって、第１の軸に対して第１の検流計ミラー上へのレーザの入射角度は、第１の検流計によって、サーボ機械的に制御される。第１の検流計ミラーは、概して、いったん第１の検流計ミラーから反射されたビームが、第２の検流計２５のシャフトに取り付けられた第２の検流計ミラー２３に向かって指向されるように配向される。第２の検流計ミラーの第２の軸内の角度配向、したがって、第２の軸に対する第２の検流計ミラー上へのレーザの入射角度は、第２の検流計によって、サーボ機械的に制御される。第２の検流計ミラーは、概して、いったん第２の検流計ミラーから反射されたビームが、概して、光学軸２６に沿って中心に置かれる、第１の集束光学２７に向かって、かつそれを通して、光学軸２６に沿って指向されるように配向される。第１の集束光学２７は、概して、凹面曲率を有する。第１の集束光学２７は、ビームが、同様に、概して、光学軸２６の周囲に中心付けられる、第２の集束光学２９に向かって、かつそれを通して指向されるにつれて、ビームの焦点をずらし、ビーム幅を増加させる。第２の集束光学２９は、略凸面曲率を有し、第１の集束光学２７より直径が大きく、増加したビーム幅を可能にし得る。第１および第２の集束光学の曲率および場所は、ビームが、そのオリフィスからの選択可能距離において、ハンドピース外側に集束されるように選択される。
【００７５】
一実施形態では、一次流体供給システム１５は、空気および冷却剤ポンプ等の流体源への流体連通を提供する、いくつかの管を含む。これらの管は、いくつかの継手３１に接続されてもよく、一次流体マニホールド３３への流体連通を提供してもよい。一次流体マニホールドは、半径方向ポート３５の対応する数への単一流体連通を提供することができる。
【００７６】
対合光学サブシステム３７と、二次流体供給システム３９とを有する、ハンドピース１６が、主チャンバ１１に添着されて示される。対合光学サブシステムは、対合光学軸４１を有し、旋回式ミラー４３と、ビーム出口４５とを含む。所望の標的場所へのレーザビームの送達のために、対合光学サブシステムは、ハンドピースが主チャンバに添着されると、実質的に、主チャンバの光学サブシステムと整合される必要がある。１つ以上の位置決めＯリング４７および垂直肩部４９、５１は、初期整合を提供することができる。位置決めＯリングは、交互に、光学軸２６および対合光学軸４１と同心である、主チャンバおよびハンドピースのボアとシャフトとの間に圧縮される。これは、位置決めＯリングの軸方向位置に、光学サブシステムと対合光学サブシステムとの間に同心整合を提供することができ、すなわち、ハンドピースが主チャンバに添着されると、光学軸２６および対合光学軸４１は、実質的に、共線状である。
【００７７】
この目的を達成するために、ハンドピースを主チャンバに添着する間、肩部４９上に着座される。肩部４９は、主チャンバ内の光学サブシステムの光学軸２６に垂直である。第２の肩部５１は、ハンドピース上に位置し、対合光学軸４１に垂直である。添着されると、第２の肩部５１は、第１の肩部４９上に平坦に着座され、したがって、対合光学軸４１を主チャンバの光学サブシステムの光学軸２６と平行または共線状に整合させ得る。
【００７８】
一実施形態では、ビームは、添着されるハンドピースの対合光学軸４１の周囲に中心付けられるように進行し、旋回式ミラー４３に反射する。旋回式ミラーは、概して、ハンドピースの対合光学軸上に中心付けられ、ビームがビーム出口４５を通して治療面積に向かって反射されるような角度配向を有する。別の実施形態では、旋回式ミラーは、使用されない。代わりに、ビーム出口は、概して、対合光学軸４１の周囲にほぼ中心付けられる。
【００７９】
種々の実施形態では、第２の対合流体供給システムは、ハンドピース内に提供される。対合流体供給サブシステムは、対応する軸方向ポート５５を伴う、いくつかの半径方向ポート５１と、種々の内部管５７とを介して、流体連通する、いくつかの環状溝４９を含んでもよい。内部管は、ハンドピースの長さに沿って、その先端に向かって経由される。溝は、Ｏリング５３を密閉することによって、両側で密閉される。
【００８０】
ハンドピースが主チャンバに添着されると、第２の対合流体供給システムと流体連通する、環状溝は、主チャンバに対するハンドピースの角度配向にかかわらず、主チャンバの流体供給システムの半径方向ポートとの流体連通を維持する。
【００８１】
一実施形態では、ハンドピースは、主チャンバ内の流体供給システムと第２の対合流体供給システムとの間に流体連通を維持しながら、任意の選択可能角度配向において主チャンバに取り付けられてもよい。光学サブシステムと対合光学サブシステムとの間の整合も同様に、維持され得る。図８Ａおよび８Ｂは、２つの異なる角度配向において、主チャンバに添着されるハンドピースを示す。一実施形態では、いったん主チャンバに添着されると、ハンドピースは、選択された角度配向に回転され、ねじ山付き係止ナット５９を使用して、その場所に係止されてもよい。
【００８２】
図８Ｃを参照すると、主チャンバ１１は、回転継手６１を介して、関節運動アーム１７に取り付けられてもよい。回転継手は、ハンドピースおよび主チャンバがともに係止されると、その初期位置に対してハンドピースのわずかな角度配向変化（最大約１度、２度、５度等）を可能にしてもよい。回転継手はまた、より大きい角度配向変化、例えば、３０°、４０°、９０°等を可能にすることができる。これは、ハンドピースおよび主チャンバがともに係止されるため、実質的に、任意の望ましくないまたは意図されない自由移動を防止しながら、レーザビームを選択された場所に指向するように便宜的に配向され得るように、オペレータに、ハンドピースの移動の自由度を提供することができる。
パラメータのパルス化および制御
可変フットペダルは、ＵＳＢを介して、歯科レーザ装置の内部コンピュータに取り付けられてもよく、ソフトウェアが、周辺フットペダル押下の感知された変化をプロセス変数の対応する変化に変換するために使用されてもよい。フットペダルはまた、歯科レーザ装置のコンピュータのソフトウェアへの入力として使用されることができる。流体流速、レーザパワー、走査速度、グラフィカルズーム、およびオペレータに利用可能な他の変数等のデフォルトパラメータが、治療の間、フットペダルを使用して変更されてもよい。歯科レーザ装置の種々のパラメータは、パルス周波数、パルス幅、レーザ走査率、ジャンプ速度、およびスポットあたりのパルスの数等のパラメータを変動させることによって、レーザパワーの可変制御を提供する、フットペダル等の可変スイッチを使用して制御されることができる。スイッチ（例えば、フットペダル）はまた、噴霧の送達を制御するために、ポンプ速度および／または流体圧力を変動させることによって、流体流動を制御してもよい。一般に、フットペダルの押下が多いほど、送達されるレーザパワー、ビーム走査の速度、および／または噴霧流量は大きくなる。オペレーティングシステムのアナログ周縁機器としての可変フットペダルおよび／または歯科レーザシステムのソフトウェアの使用は、レーザ治療の１つ以上のパラメータを変更するために、手技を停止させる必要なく、システムとの高速かつ便宜的相互作用を提供することができる。
【００８３】
可変フットペダル７（一般に、入力デバイス）はまた、オフラインモードで、すなわち、レーザシステムを使用する治療が進行中ではないとき、システムパラメータを設定および制御することができる。１つ以上のパラメータのオフライン修正は、典型的には、治療に先立って行われる。オフラインで設定され得るシステム変数として、冷却剤流速、空気圧力、ビームパターンサイズ、およびレーザパワー設定が挙げられる。治療に先立って、フットペダルを使用して、システムパラメータを設定することは、歯科レーザシステムのハンズフリー初期化を可能にする。オフラインモードでの１つ以上のパラメータ設定は、治療の間、フットペダルを使用して調節されることができる。例えば、交換可能ハンドピース５への流体の流動は、継続的または離散的に、フットペダルを使用して制御される。
【００８４】
レーザ歯科システムの種々の実施形態を使用して歯を治療する際、オペレータ（例えば、歯科医）は、典型的には、ハンドピースの先端を歯の領域に指向し、レーザをアクティブ化する。レーザパルスは、次いで、渦巻パターン、ジグザグ走査パターン、ランダムパターン等のパターンに従って、選択された領域に送達される。具体的には、レーザビームは、ユーザ選択されたパターンに従って、選択された領域内のいくつかのスポットに衝打する。レーザビームの移動は、レーザパルスが、継続的に、単一スポットに送達されないように（例えば、数ミリ秒の持続時間の間）、選択された領域を走査するように構成される、電流計／サーボ−ミラーアセンブリによって制御されることができる。これは、歯または歯肉上のスポットの過熱および潜在的に有害な焼灼を回避または低減させる。電流計／サーボ−ミラーアセンブリを使用した走査はまた、領域内の焼灼が均一であるように、適正なエネルギーが、実質的に、均一様式において、選択された領域全体に送達されることを確実にすることができる。したがって、電流計／サーボ−ミラーアセンブリは、ハンドピースを頻繁に移動させる（電流計／サーボ−ミラーアセンブリを伴わない場合、過熱を回避するために必要であり得る）必要なく、ユーザが、選択された領域を均一かつ安全に治療することを可能にする。ユーザは、単に、選択された持続時間（例えば、数秒、１分、または数分等）の間、ある位置にハンドピースを保持し得る。
【００８５】
電流計／サーボ−ミラーアセンブリの動作は、典型的には、パルスシーケンスの特性に密接に関連する。これらの特性として、パルスレート、パルス幅、パルスあたりのエネルギー等が挙げられ得る。例えば、ユーザが、フットペダルを押下することによって、パルスレートを増加させる場合、電流計／サーボ−ミラーアセンブリ内のミラー移動率を増加させ、単一スポット内のあまりに多くのパルスおよび結果として生じる過熱を防止することが望ましくあり得る。同様に、ユーザが、パルスレートを低下させる場合、選択された領域全体が効果的に治療されるように、ミラー移動率を低下させることが望ましくあり得る。種々の実施形態では、電流計−ミラーアセンブリ制御パラメータは、フットペダルの移動によって選択される、パルスのシーケンスの特性に従って選択される。
【００８６】
選択された治療パラメータ（パルスレート、選択された領域の面積、パルスの形状、パルスエネルギー分布等）に従って、電流計／サーボ−ミラーアセンブリを自動的に調節するための方法およびシステムは、２０１２年９月４日出願の同時係属中の米国特許出願第１３／６０３，１６５号「Ｌａｓｅｒ  Ｂａｓｅｄ  Ｃｏｍｐｕｔｅｒ  Ｃｏｎｔｒｏｌｌｅｄ  Ｄｅｎｔａｌ  Ｐｒｅｐａｒａｔｉｏｎ  Ｓｙｓｔｅｍ」に説明されており、参照することによって本明細書に組み込まれ、その開示は、本特許出願の一部を形成する。
【００８７】
本発明の一実施形態は、パルス状レーザ源、例えば、パルス状９．３ｕｍＣＯ２レーザを使用する。例えば、約１００μｍ、２５０μｍ等のオーダーの小スポットサイズに集束されるビームは、電流計／サーボ制御式ミラーを使用して走査され、治療面積に指向されてもよい。パルスのパルス幅および周波数は、概して、治療面積に送達される平均レーザパワーを制御する。ビーム走査の速度は、点から点へのジャンプ速度によって判定されることができる。したがって、各場所点におけるパルスの数は、その場所に送達されるべきレーザエネルギーの量を制御するように制御されることができる。ハンドピース先端への流体の流動は、電子ポンプおよびレギュレータを使用して制御されてもよい。これらの変数の値は、例えば、システムコンピュータ上で実行するソフトウェアを使用して制御されてもよい。
【００８８】
レーザパルスの繰り返し率は、可変フットペダル７を使用して、リアルタイムで制御されてもよい。図９Ａは、実質的に全方向からアクセス可能な丸い足スイッチ６７と、保護カバー６９と、歯科レーザシステム７に接続する、フットペダルプラグ７１とを伴う、変速フットペダル７を示す。
【００８９】
図９Ｂは、一実施形態による、歯科レーザシステム３上の可変フットペダル７の機能を実証する、３つの異なる例を図示する。例Ａでは、可変フットペダル７は、非押下状態に維持される。本状態では、パルス信号は、レーザ源に送信されず、レーザは、パルス化しない。例Ｂでは、フットペダル７は、軽く押下され、対応して、中程度の繰り返し率におけるレーザパルスが、ハンドピースを介して、送達される。例Ｃでは、フットペダル７は、完全に押下され、対応して、比較的に高繰り返し率におけるレーザパルスが、ハンドピースを介して、送達される。
【００９０】
図１０Ａを参照すると、レーザパルスは、実質的に、均一単一周波数を有し得る。一般に、単一周波数のためのパルスパターンを説明し得る、２つの変数が存在する、すなわち、パルス幅およびパルス繰り返し率である。レーザパルスのパルス繰り返し率は、フットペダル７によって変動および制御されることができる。いくつかの実施形態では、パルス幅は、可変であって、フットペダル７によって制御される。
【００９１】
レーザ源はまた、レーザパルスのバーストのシーケンスを含む、バーストパルスパターンでトリガされてもよい。各バーストは、図１０Ｂに図式的に描写されるように、レーザパルスのアレイを含み、バーストは、遅延周期が続く。バーストパルスパターンは、概して、治療される表面が、照射エネルギーのパルスアレイのバースト間の対流を通して冷却し、治療されている組織および／または任意の周囲組織への任意の熱損傷を防止または少なくとも減少させることができる。バーストパターンは、典型的には、いくつかのパラメータによって説明され、そのそれぞれは、可変フットペダル７を使用して、変動および制御されてもよい。バーストパルスパターンを判定するパラメータとして、バースト持続時間（ＯＮ間隔）、すなわち、単一バースト内のパルスのシーケンスの持続時間、バーストあたりのパルスの数、パルス周波数、すなわち、パルスが単一バースト内のパルスのシーケンスの間に送達される率、遅延時間（ＯＦＦ間隔）、すなわち、パルスの２つの連続シーケンス間の時間の長さ、およびパルス幅、すなわち、各個々のレーザパルスの持続時間が挙げられ得る。
【００９２】
パルス周波数は、パルス幅、連続パルス間の遅延、または両方を減少させることによって増加されることができる。パルス幅は、増加されることができ、パルス間の遅延は、パルス周波数が増加するであろうように、パルス幅の増加を上回る量だけ減少されることができる。いくつかの実施形態では、パルス周波数が、全他のパラメータから独立して変動されるとき、パルス幅および２つの連続バースト間の遅延時間は、有意に変更されない。同様に、パルス幅が、変更されるが、パルス周波数およびバーストあたりのパルスの数は、不変のままである場合、バースト持続時間も、不変のままである。本明細書に説明されるパラメータはそれぞれ、１つ以上の他のパラメータとともに、または独立して、すなわち、任意の他のパラメータを変化させずに、変動されることができる。
【００９３】
除去率は、治療面積（例えば、歯）に指向される照射エネルギーの関数であって、これは、典型的には、バーストあたりのエネルギー×単位時間あたりのバーストの数によって判定される。単位時間あたりのバーストあたりのエネルギーの量は、独立パラメータ、すなわち、バーストあたりのパルスの数、パルス周波数、およびパルス幅によって判定されることができる。単位時間内のバーストの数は、（ａ）独立パラメータである遅延時間と、（ｂ）バーストあたりのパルスの数、パルス周波数、またはパルス幅、あるいはこれらのパラメータの任意の２つまたは全３つの組み合わせの関数であり得る、バースト持続時間とによって判定される。
【００９４】
一実施形態では、パルス周波数は、可変であって、バーストあたりのパルスの数を実質的に一定に保ちながら、フットペダルの押下のレベルを用いて制御される。パルス周波数を増加させるが、単一バースト内で同一のパルスの数を送達することは、バースト持続時間の減少をもたらすことができる。バーストあたりのパルスの数およびパルス幅を実質的に一定に維持しながらのバースト持続時間の減少は、効果的に、治療面積に指向されるレーザエネルギー率を増加させ、除去率の増加をもたらすことができる。
【００９５】
別の実施形態では、バーストあたりのパルスの数は、可変であって、バースト持続時間が実質的に一定に維持されながら、フットペダル制御によって制御される。バーストあたりのパルスの数の増加は、したがって、単一バーストアレイの間、レーザＯＮ時間の量を増加させることができ、対応して、治療面積に向かって指向されるレーザエネルギー率を増加させることができる。遅延時間もまた、フットペダルを用いて変動および制御されることができる。バーストアレイ間の遅延時間の減少は、典型的には、バーストアレイ間の治療面積および周囲組織からの対流熱除去のための時間を短縮しながら、レーザのデューティサイクル、治療面積に向かって指向される照射パワー、および物質除去率を増加させる。
【００９６】
別の実施形態では、パルス幅は、可変であって、可変フットペダルを用いて制御される。バーストあたりのパルスの数が減少されない場合、パルス幅の増加は、治療面積に指向されている照射されるエネルギーの量を増加させる。パルス幅の変更もまた、単一パルス内で治療面積に送達されるエネルギーの量を増加させる。
【００９７】
一実施形態では、ビーム誘導システムである、検流計／サーボに取り付けられたミラーが、治療表面上でレーザビームを走査するために採用される。ビーム誘導システムは、治療表面上に、渦巻等の所定のパターンを走査し、随意に、レーザによって影響される面積を拡大するために使用されてもよい。ビーム誘導システムは、規定の時間量内に、第１の場所から第２の場所にレーザビームの集束スポットを離散的に移動させることができる（ジャンプ間隔と呼ばれるパラメータ）。ビーム誘導システムは、レーザビームによってトレースされるべきパターンに従って、次の位置に移動する前に、レーザが発射するにつれて、ある位置で停止する。ビーム誘導システムが各位置に留まる時間量は、滞留時間と呼ばれるパラメータである。
【００９８】
例示的走査ビームパターン１０００を描写する、図１０Ｃでは、各滞留時間の間に、それに向かってビーム誘導システムがレーザビームを指向する治療面積の場所は、ドット１００２によって示される。ある場所から次の場所へとビーム誘導システムによって辿られる経路は、矢印１００４によって示される。２つの場所間の移動は、概して、ジャンプ間隔の間に生じる。ある位置から別の位置に離散的に移動するときのビーム誘導システムの走査率のパラメータの１つは、１つのジャンプ間隔あたりのビームによってある照射場所から次の照射場所へと横断される長手方向または角度距離である。
【００９９】
ビーム誘導システムは、バーストパルスレーザパターンまたは単一周波数パルスレーザパターンとともに採用されてもよい。バーストパルスレーザパターンとともに採用されるとき、ビーム誘導システムは、ビームをある場所に指向し、１つ以上のバーストアレイがその場所に送達されるにつれて、対応する位置に滞留する。続いて、ビーム誘導システムは、遅延時間、すなわち、２つのバーストのパルスのシーケンス間の遅延の間、ビームを次の場所に指向する。いくつかの実施形態では、単一バーストが、場所あたりに送達され、したがって、ビーム誘導システムの滞留時間は、バースト持続時間に関連し、ビーム誘導システムのジャンプ間隔は、バーストパルスパターンの遅延時間に関連する。これらの実施形態では、パルス周波数の変更（例えば、フットペダルを使用して）は、バースト持続時間、故に、ビーム誘導システムの滞留時間を変動させることができる。これは、バースト持続時間が、バーストあたりのパルスの数（不変のままであり得る）×パルス期間であり、これは、パルス周波数に逆比例するためである。したがって、パルス周波数を増加することは、バースト持続時間、故に、ビーム誘導システムの滞留時間を減少させることができる。滞留時間の減少は、ジャンプ間隔が不変のままであり得るため、場所間のビーム誘導システム移動の速度に影響を及ぼさずに、それに向かってビーム誘導システムがある時間量内にレーザを指向する、場所の数の増加をもたらすことができる。
【０１００】
いくつかの実施形態では、バーストパルスパターンの遅延時間は、可変フットペダルを使用して、変動および制御されることができる。遅延時間の変更は、典型的には、ビーム誘導システムのジャンプ間隔も同様に変動させる。これらの実施形態では、バーストアレイ間の遅延時間の減少は、ある時間量内にそこに向かってビーム誘導システムがレーザを指向する場所の数を増加させ、ビーム誘導システムのジャンプ間隔を減少させ、ビーム誘導システムの速度の増加をもたらす。
【０１０１】
別の実施形態では、バーストあたりのパルスの数は、可変であって、フットペダルによって制御されることができる。本実施形態では、ビーム誘導システムの滞留時間は、パルス周波数の逆数である、バーストあたりのパルスの数×パルス期間である、バースト持続時間に関連する。したがって、バーストあたりのパルスの数の増加は、ビーム誘導システムの滞留時間を増加させることができる一方、ビーム誘導システムのジャンプ間隔および速度は、実質的に、不変のままであり得る。
【０１０２】
さらに別の実施形態では、バーストパルスのパルス幅は、可変であって、フットペダルによって制御される。本実施形態では、レーザパルス幅の変更は、パルス幅の変更がバースト持続時間の変更を生じさせ得るため、ビーム誘導システムの滞留時間を改変させることができる。ビーム誘導システムのジャンプ間隔および速度は、不変のままであり得る。
【０１０３】
図１０Ｄを参照すると、いくつかの実施形態では、ビーム誘導システムは、ビームをある場所から別の場所に離散的に移動させ、各個々の場所に滞留させなくてもよい。代わりに、ビーム誘導システムは、渦巻パターン１０５０等のパターンで継続的に移動する。レーザパルスは、均一の、実質的に、単一周波数パターンで送達されてもよい。単一周波数パルスレーザパターンとともに採用されると、ビーム誘導システムのジャンプ間隔は、概して、レーザパルス繰り返し率に関連し、滞留時間は、典型的には、レーザパルス幅に関連する。一実施形態では、増加したフットペダル押下を通したパルス繰り返し率の増加は、ジャンプ間隔を低下させることができ、かつ走査率、すなわち、ビーム誘導システムの速度と、所与の時間量内にビームが指向される場所の数とを増加させることができる。単一周波数レーザパルスパターンのパルス幅の増加は、特定の場所において、ビームが指向される滞留時間を増加させ得る。ビーム誘導システムの走査率は、滞留時間が変更されるとき、不変のままであり得る。
【０１０４】
連続的に照射される場所間の距離、したがって、照射場所の数は、ビーム誘導システムによるビームの連続移動の速度に対する単一周波数パルスパターンの繰り返し率によって判定されることができる。ビーム誘導システムの速度を維持しながら、例えば、フットペダルを使用した単一周波数パルスパターン（すなわち、パルスの周波数）の繰り返し率の増加は、治療面積の連続的に照射される場所間の距離を減少させ、ビーム誘導パターン内の照射場所の数および治療面積に指向される照射パワーの量を増加させることができる。
【０１０５】
別の実施形態では、ビーム誘導システムの速度は、可変であって、実質的に一定のパルス繰り返し率が維持されながら、フットペダルを用いて制御される。これは照射場所間の距離およびビーム誘導パターン内の照射場所の数に影響を及ぼし得るが、全体的治療面積に向かって指向される照射パワーは、ビーム誘導システムの速度が変化する場合でも、実質的に、不変のままであり得る。
【０１０６】
別の実施形態では、ビーム誘導システムの連続速度および単一周波数レーザパルスパターンの繰り返し率は両方とも、可変であって、フットペダルを使用して、実質的に、相互に固定割合で制御される。ビーム誘導システムの連続速度および単一周波数パルスパターンの繰り返し率の両方を等しい割合で変動させることは、照射場所間の距離ならびにビーム誘導パターン内の照射場所の数が、治療面積に指向される照射パワーが変動されるにつれて、実質的に、一定のままであることを可能にする。
【０１０７】
別の実施形態では、単一周波数レーザパルスパターンのパルス幅は、可変であって、ビーム誘導システムの連続速度が、実質的に、一定に維持されながら、フットペダルを使用して制御される。パルス幅の変動は、治療面積に向かって指向される照射パワーならびに照射場所のサイズを変動させ得る。より長いパルス幅は、ビーム誘導システムが、レーザのパルスの間、継続して移動するにつれて、より大きい照射場所をもたらすことができる。ビーム誘導システムの速度に対して短いパルス幅の場合、個々の照射場所のサイズの変化は、無視可能であり得、パルス幅の変化の主要な影響は、治療面積に送達される照射パワーの変化であり得る。
【０１０８】
図１０Ｅを参照すると、バーストパターンが、連続運動においてレーザビームを移動させるビーム誘導システムとともに採用される場合、パターン内の照射場所のサイズは、ビーム誘導システムの速度ならびにバーストパルスパターンのバースト持続時間によって判定されることができる。照射場所間の距離は、概して、ビーム誘導システムの速度と、遅延時間、すなわち、バーストパターン内の連続バーストアレイ間の遅延との関数である。
【０１０９】
一実施形態では、パルス周波数は、例えば、ジョイスティック、フットペダル等を使用して、変動および制御される。バースト持続時間が、概して、バーストあたりのパルスの数×パルス期間、すなわち、パルス周波数の逆数に等しいため、パルス周波数から独立したパルス幅の変化は、バースト持続時間の変更をもたらさないかも知れない。これは、実質的に、治療面積の照射場所を保存することができる。各場所に送達されるエネルギーの量は、しかしながら、パルス幅に従って変化し得る。パルス周波数の増加は、バースト持続時間が、減少し得、かつビームが、概して、経路に沿って、実質的に、均一速度で継続的に移動するため、照射スポットのサイズを減少させ得る。
【０１１０】
別の実施形態では、ビーム誘導システムによるビームの連続移動の速度およびパルス周波数は両方とも、可変フットペダルによって、相互に比例して変動および制御される。したがって、治療面積の照射場所のサイズは、ビーム誘導システムの速度ならびにレーザのパルス周波数を比例して変動させることによって、実質的に、一定に維持され得る。具体的には、パルス周波数が増加するにつれて、バースト持続時間は、概して、減少するが、照射スポットのサイズは、ビーム移動の速度を増加させることによって保存されることができる。治療面積に指向されるエネルギーの量および冷却のためのバースト間の時間もまた、バースト期間、すなわち、バースト持続時間および時間遅延の合計が、時間遅延、すなわち、連続バースト内のパルスのシーケンス間の遅延を調節することによって、実質的に、不変に維持される場合、パルス周波数を変動させることによって変動されることができる。
【０１１１】
いくつかの実施形態では、バーストあたりのパルスの数は、可変であって、フットペダルによって制御され、ビーム誘導システムは、実質的に均一速度でビームを継続的に移動させるように構成される。パルス周波数は、実質的に、略一定であってもよい。本実施形態では、治療面積の照射場所のサイズおよび各スポットに送達されるエネルギーおよび／または全体的治療面積は、変動し得る。バーストあたりのパルスの数の増加は、バースト時間を増加させることによって、照射場所のサイズを増加させることができ、各場所および／または全体的治療面積に指向されるレーザパワーを増加させてもよい。
【０１１２】
他の実施形態では、ビームの速度およびバーストあたりのパルスの数は、フットペダルを使用して、変動されることができる。例えば、これらの２つのパラメータは、比例的および／または反比例的に制御されることができる。これらの実施形態では、治療面積上の照射場所のサイズは、バーストあたりのパルスの数および治療面積に指向されるレーザパワーが変化するにつれて、概して、一定に維持され得る。一実施形態では、バーストあたりのパルスの数が減少するにつれて、バースト持続時間は、減少し得るが、照射スポットのサイズは、レーザビームの移動の速度を比例して増加させることによって維持されることができる。
【０１１３】
一実施形態では、バースト遅延時間は、ビームが、ビーム誘導システムによって、継続的に、かつ実質的に均一速度で移動されながら、フットペダルによって、変動および制御される。本実施形態では、治療面積の連続的照射場所間の距離は、バースト遅延時間に伴って変動し得る。より長いバースト遅延時間は、より大きい照射場所間の距離をもたらすことができる。代替として、ビームの速度およびバースト遅延時間は、フットペダルによって変動され、比例および／または反比例するように制御されることができる。したがって、遅延時間が増加するにつれて、ビーム移動の速度は、連続照射スポット間の距離が、略不変のままであるように減少されることができる。
【０１１４】
さらに別の実施形態では、レーザパルスのパルス幅は、レーザビームがビーム誘導システムによって均一速度で継続的に移動されながら、フットペダルによって変動および制御される。治療面積の照射場所のサイズは、パルス幅に伴って、概して、不変のままであり得る。前述のように、照射場所のサイズは、バーストあたりのパルスの数×パルス期間に等しい、ビーム運動の速度およびバースト持続時間の関数である。したがって、パルス幅が変更される場合でも、パルス周波数およびバーストあたりのパルスの数が、実質的に、一定のままである場合、バースト時間は、概して、一定のままであって、治療面積の照射場所のサイズを維持する。
【０１１５】
別の実施形態では、ビーム運動の速度およびパルス幅は、比例および／または反比例様式において、フットペダルによって変動される。したがって、照射場所のサイズは、パルス幅がフットペダル制御に従って変動されるにつれて、概して、一定に維持されることができる。例えば、パルス幅が減少され、パルス周波数を増加させる場合、バースト持続時間は、減少し得る。ビーム移動の速度を比例して増加させることによって、照射スポットのサイズは、実質的に、不変に維持されることができる。しかしながら、照射場所に送達されるレーザエネルギーの量は、減少し得る。
【０１１６】
いくつかの実施形態では、ビーム誘導システムによるビームの移動の速度のみが、レーザバーストパターンパラメータが実質的に変更されないまま、フットペダルによって変動および制御される。したがって、照射場所のサイズ、ならびに連続照射場所間の距離は、ビーム運動の速度に伴って、変動し得る。ビーム移動の速度の増加は、照射場所のサイズならびに連続的照射場所間の距離を増加させ得る。
【０１１７】
（例示的動作）
歯科診断に応じて、オペレータは、歯科手技を選定してもよい。交換可能ハンドピースは、概して、オペレータが、多様な硬および軟組織手技の任意の１つを行うことを可能にする。ユーザインターフェース４（図１Ａに描写される）および可変スイッチ（例えば、フットペダル７）を介して、オペレータは、選定される手技のための種々のシステムパラメータを設定してもよい。オペレータはまた、選定される手技に好適なハンドピースを選択してもよい。例えば、診断は、小臼歯の咬合面のクラス１〜５の窩洞形成であり得、オペレータは、本手技に好適なハンドピース５を選択してもよい。オペレータは、次いで、バヨネット特徴３６を回転させながら、グリップ３８を定常に保持することによって、選択されたハンドピース５を主チャンバ３０に取り付けてもよい。ハンドピースを定位置に係止することは、図５Ａ−５Ｄを参照して前述のように、ばねピン５５が認識ボード４９に触れ、システムコンピュータが、どのハンドピース５が取り付けられたかを認識することを可能にすることを確実にすることができる。いったんハンドピース５が認識されると、ユーザインターフェース４は、そのハンドピース５に適切なシステム選択肢を表示してもよい。
【０１１８】
オペレータは、次いで、ユーザインターフェース４上で事前選択されたデフォルトシステムパラメータを選定してもよいか、または利用可能な設定内のパラメータのいずれかを変更してもよい。例えば、オペレータは、パルス幅、最大パルス周波数、および／またはレーザ走査サイズ、形状等を変更してもよい。オペレータは、図６Ａ−６Ｃを参照して説明されるように、レーザビームの整合を試験してもよい。オペレータは、次いで、ハンドピース先端９を患者の口内に留置してもよく、かつハンドピース第２の光学軸３７と治療されるべき面積を整合させてもよい。
【０１１９】
いったんハンドピース先端９が、適切に留置され、ユーザインターフェース４パラメータが、選択されると、オペレータは、フットペダル保護カバー６９を持ち上げてもよく、かつ丸い足スイッチ６７を部分的または完全に押下してもよい。フットペダル７の解放は、治療面積へのレーザエネルギーの送達を停止することができる。オペレータは、次いで、治療されている歯を検査し、歯をさらに治療することを選定してもよく、または治療の継続前に、ユーザインターフェース４を使用して、システムパラメータの変更を選定してもよい。例えば、オペレータは、水噴霧の組み合わせを変更するように、ユーザインターフェース４を介して、空気および／または水流を増減させてもよい。
【０１２０】
随意に、オペレータは、典型的には、第２の光学軸３７を治療面積上の任意の特徴に整合させるために、係止バヨネット３６を介して、連結部１１を回転させる、ハンドピース５をスピンさせることによって、完全または部分的に、ハンドピース５を回転させてもよい。例えば、歯間から（歯の側面から）切除するために、または上側の歯の咬合面を切除するために、ハンドピース５は、光学軸１３を中心として回転されてもよい。整合および治療ステップは、前述のように、繰り返されてもよい。
【０１２１】
オペレータはまた、軟組織の治療の間、冷却のための空気または水を要求しなくてもよい、中空導波管またはファイバ先端付きハンドピースを選定してもよい。前述のように、いったん新しいハンドピースが主チャンバに取り付けられると、システムコンピュータは、そのハンドピースを認識し得、かつユーザインターフェース４は、先端４３（図４に描写される）を伴う新しいハンドピースに利用可能なシステム選択肢を表示してもよい。オペレータは、次いで、例えば、ハンドピース４３の端部と治療されるべき面積を視覚的に整合させることによって、治療を継続してもよく、または、次いで、中空導波管またはファイバを治療されるべき軟組織上に留置してもよい。治療が完了した後、オペレータは、フットペダル保護カバー６９を閉鎖位置に戻してもよい。
【０１２２】
本明細書に説明されるシステムおよび方法は、口腔組織、歯肉、および歯、例えば、ヒトまたは動物口腔組織、歯肉、および歯を治療するために使用されることができる。具体的には、これらのシステムおよび／または方法は、虫歯の除去、硬組織の切除、穿孔、または成形、軟組織の除去および切除、齲蝕抑制のための硬組織の修正、および硬組織への接着を補助するための硬組織表面状態の修正のための手技において使用されてもよい。
【０１２３】
本発明は、特に、具体的実施形態を参照して図示および説明されたが、形態および詳細の種々の変更が、添付の請求項によって定義される本発明の精神および範囲から逸脱することなく、本明細書に行われてもよいことは、当業者によって理解されるであろう。本発明の範囲は、したがって、添付の請求項によって示され、請求項の均等物の意味および範囲内にある全ての変更は、したがって、包含されることが意図される。
【図１Ａ】
2020103956.tif 000003
【図１Ｂ】
2020103956.tif 000004
【図２Ａ】
2020103956.tif 000005
【図２Ｂ】
2020103956.tif 000006
【図３Ａ】
2020103956.tif 000007
【図３Ｂ】
2020103956.tif 000008
【図３Ｃ】
2020103956.tif 000009
【図３Ｄ】
2020103956.tif 000010
【図３Ｅ】
2020103956.tif 000011
【図４】
2020103956.tif 000012
【図５Ａ】
2020103956.tif 000013
【図５Ｂ】
2020103956.tif 000014
【図５Ｃ】
2020103956.tif 000015
【図５Ｄ】
2020103956.tif 000016
【図６Ａ】
2020103956.tif 000017
【図６Ｂ】
2020103956.tif 000018
【図６Ｃ】
2020103956.tif 000019
【図７】
2020103956.tif 000020
【図８Ａ】
2020103956.tif 000021
【図８Ｂ】
2020103956.tif 000022
【図８Ｃ】
2020103956.tif 000023
【図９Ａ】
2020103956.tif 000024
【図９Ｂ】
2020103956.tif 000025
【図１０Ａ】
2020103956.tif 000026
【図１０Ｂ】
2020103956.tif 000027
【図１０Ｃ】
2020103956.tif 000028
【図１０Ｄ】
2020103956.tif 000029
【図１０Ｅ】
2020103956.tif 000030